(57)【特許請求の範囲】
【請求項１】
端末が、システムから送られる物理ダウンリンク制御チャネルシグナルを受信し、
前記端末が、前記物理ダウンリンク制御チャネルシグナルを受信したサブフレームの後続のサブフレームから、条件Ａに合い、かつ、ランダムアクセスリソースを含む最初のサブフレームを決定し、
前記条件Ａは、前記最初のサブフレームと前記物理ダウンリンク制御チャネルシグナルを受信したサブフレームとの時差が、前記端末の物理層によって規定された遅延であるｋ以上であることであり、
前記端末が、前記最初のサブフレームからランダムアクセスリソースを含むサブフレームの選択を開始し、
前記条件Ａに合うサブフレームは、無線フレームＮのサブフレームｎの後のサブフレームであり、
前記Ｎは、以下の式（１）の条件を満たし、前記ｎは、以下の式（２）の条件を満たし、
【数１】
0005380552.tif 000012
ｎ＝（ｍ＋ｋ）％１０      （２）
前記Ｍは、前記物理ダウンリンク制御チャネルシグナルを受信した無線フレームであり、前記ｍは、前記物理ダウンリンク制御チャネルシグナルを受信したサブフレームである
ことを特徴とするランダムアクセスリソースの選択方法。
【請求項２】
前記物理ダウンリンク制御チャネルシグナルは、物理ランダムアクセスチャネルマスクインデックスと物理ランダムアクセスプリアンブルインデックスをキャリーし、
前記ランダムアクセスリソースを含むサブフレームは、物理ランダムアクセスチャネル配置インデックス、前記物理ランダムアクセスチャネルマスクインデックス及び前記物理ランダムアクセスプリアンブルインデックスによって決められ、
前記物理ランダムアクセスチャネル配置インデックスは、前記端末によりシステムメッセージまたはハンドオーバーシグナルから取得され、
ランダムアクセスリソースを含むサブフレームを選択する範囲は、前記最初のサブフレームである
ことを特徴とする請求項１に記載の方法。
【請求項３】
前記物理ダウンリンク制御チャネルシグナルは、物理ランダムアクセスチャネルマスクインデックスと物理ランダムアクセスプリアンブルインデックスをキャリーし、
前記ランダムアクセスリソースを含むサブフレームは、物理ランダムアクセスチャネル配置インデックス、前記物理ランダムアクセスチャネルマスクインデックス、前記物理ランダムアクセスプリアンブルインデックス及びアップ・ダウンリンク配置インデックスによって決められ、
物理ランダムアクセスチャネル配置インデックスとアップ・ダウンリンク配置インデックスは、前記端末によりシステムメッセージまたはハンドオーバーシグナルから取得される
ことを特徴とする請求項１に記載の方法。
【請求項４】
前記物理ランダムアクセスチャネルマスクインデックスが０に等しくない場合、前記端末がランダムアクセスリソースを含むサブフレームを選択する時間範囲は、前記最初のサブフレームであり、
前記物理ランダムアクセスチャネルマスクインデックスが０に等しい場合、前記端末がランダムアクセスリソースを含むサブフレームを選択する時間範囲は、前記最初のサブフレーム及び当該サブフレームの後の連続の２つのサブフレームである
ことを特徴とする請求項３に記載の方法。
【請求項５】
前記ｋは、６ミリ秒に等しい
ことを特徴とする請求項１乃至４のいずれか１項に記載の方法。
【請求項６】
ランダムアクセスリソースを選択する端末であって、
システムから送られる物理ダウンリンク制御チャネルシグナルを受信する受信モジュールと、
前記物理ダウンリンク制御チャネルシグナルを受信したサブフレームの後続のサブフレームから、条件Ａに合い、かつ、ランダムアクセスリソースを含む最初のサブフレームを決定するサブフレーム選択モジュールと、
前記条件Ａは、前記最初のサブフレームと前記物理ダウンリンク制御チャネルシグナルを受信したサブフレームとの時差が、前記端末の物理層によって規定された遅延であるｋ以上であることであり、
前記最初のサブフレームからランダムアクセスリソースを含むサブフレームの選択を開始するリソース選択モジュールとを備え、
前記条件Ａに合うサブフレームは、無線フレームＮのサブフレームｎの後のサブフレームであり、
前記Ｎは、以下の式（１）の条件を満たし、前記ｎは、以下の式（２）の条件を満たし、
【数２】
0005380552.tif 000013
ｎ＝（ｍ＋ｋ）％１０      （２）
前記Ｍは、前記物理ダウンリンク制御チャネルシグナルを受信した無線フレームであり、前記ｍは、前記物理ダウンリンク制御チャネルシグナルを受信したサブフレームである
端末。
【請求項７】
前記物理ダウンリンク制御チャネルシグナルは、物理ランダムアクセスチャネルマスクインデックスと物理ランダムアクセスプリアンブルインデックスをキャリーし、
前記受信モジュールは、物理ランダムアクセスチャネル配置インデックスをキャリーするシステムメッセージまたはハンドオーバーシグナルを受信する
ことを特徴とする請求項６に記載の端末。
【請求項８】
物理ランダムアクセスチャネル配置表と物理ランダムアクセスチャネルマスクインデックス表を記憶する記憶モジュールと、
前記物理ダウンリンク制御チャネルシグナル、前記システムメッセージまたはハンドオーバーシグナルと、前記記憶モジュールとに応じて、ランダムアクセスリソースを含むサブフレームを決定する分析モジュールと、
をさらに備えることを特徴とする請求項７に記載の端末。
【請求項９】
前記最初のサブフレームが前記ランダムアクセスリソースを含むサブフレームから選択され、
前記リソース選択モジュールがランダムアクセスリソースを含むサブフレームを選択する範囲は、前記最初のサブフレームである
ことを特徴とする請求項８に記載の端末。
【請求項１０】
前記物理ダウンリンク制御チャネルシグナルは、物理ランダムアクセスプリアンブルインデックスと物理ランダムアクセスチャネルマスクインデックスをキャリーし、
前記受信モジュールは、物理ランダムアクセスチャネル配置インデックスとアップ・ダウンリンク配置インデックスをキャリーするシステムメッセージまたはハンドオーバーシグナルを受信する
ことを特徴とする請求項６に記載の端末。
【請求項１１】
物理ランダムアクセスチャネル配置表、物理ランダムアクセスチャネルマスクインデックス表及びアップ・ダウンリンク配置表を記憶する記憶モジュールと、
前記物理ダウンリンク制御チャネルシグナル、前記システムメッセージまたはハンドオーバーシグナルと、前記記憶モジュールとに応じて、ランダムアクセスリソースを含むサブフレームを決定する分析モジュールと、
をさらに備えることを特徴とする請求項１０に記載の端末。
【請求項１２】
前記最初のサブフレームが前記ランダムアクセスリソースを含むサブフレームから選択され、
前記物理ランダムアクセスチャネルマスクインデックスが０に等しくない場合、前記リソース選択モジュールがランダムアクセスリソースを含むサブフレームを選択する時間範囲は、前記最初のサブフレームであり、
前記物理ランダムアクセスチャネルマスクインデックスが０に等しい場合、前記リソース選択モジュールがランダムアクセスリソースを含むサブフレームを選択する時間範囲は、前記最初のサブフレーム及び当該サブフレームの後の連続の２つのサブフレームである
ことを特徴とする請求項１１に記載の端末。
【発明の詳細な説明】
【技術分野】
【０００１】
本発明は、セルラー無線通信システムに関し、特に、端末がセルラー無線通信システムにランダムにアクセスするときのランダムアクセスリソースの選択方法及び端末に関する。
【背景技術】
【０００２】
図１に示すように、セルラー無線通信システムは、主に端末、基地局及びコアネットワークから構成される。基地局からなるネットワークは、無線アクセスネットワーク（Radio Access Network、RANと略称）と称され、アクセス層の業務、例えば無線リソースの管理を担当する。
【０００３】
実際には、各基地局の間は、物理的または論理的に接続されている。例えば図１では、基地局１と基地局２との間、または基地局１と基地局３との間が接続されている。各基地局は、1つまたは1つ以上のコアネットワーク（Core Network、CNと略称）ノードと接続される。
【０００４】
コアネットワークは、非アクセス層の業務、例えば位置の更新などを担当し、そして、コアネットワークは、ユーザインターフェイスのアンカーポイントとされる。端末（User Equipment、 UEと略称）とは、セルラー無線通信ネットワークと通信することができる各種の装置であり、例えば携帯電話またはノートパソコンなどである。
【０００５】
長期発展型（Long Term Evolution、 LTEと略称）においてランダムアクセス過程について詳しく説明する。物理層ランダムアクセス過程は、主に物理ランダムアクセスプリアンブルの送信とランダムアクセス応答の受信とを含む。物理ランダムアクセスチャネル（Physical Random Access Channel、PRACH）は、物理ランダムアクセスプリアンブル（random access preamble）を伝送することに用いられる。端末は、物理ランダムアクセスプリアンブルを送信する前に、PRACHリソースを選択する必要がある。
【０００６】
ここでのPRACHリソースは、アップリンクチャネル時間・周波数領域の無線リソースであり、周波数領域で６RB（無線ブロック）を占拠し、時間領域で１〜３つのサブフレームを占拠する。時間領域で占拠される期間は端末が送信した物理ランダムアクセスプリアンブルのフォーマットと関係がある。
【０００７】
端末は、時間領域と周波数領域におけるPRACHリソースの最初のサブフレームの位置を選択することでPRACHリソースを選択する。この選択過程に関連する２つの主要な配置パラメーターは、物理ランダムアクセスチャネル配置インデックス（PRACH configuration index）と物理ランダムアクセスチャネルマスクインデックス（PRACH Mask Index）である。
【０００８】
端末は、システムメッセージまたはハンドオーバーシグナルによって物理ランダムアクセスチャネル配置インデックス（PRACH configuration index）を受信できる。PRACH配置インデックスは、１セットの配置パラメーターの組合せに対応し、PRACHフォーマット、PRACH密度（各無線フレーム中に配置されたPRACHの数）及び各PRACHを送信するための時間領域の位置（周波数分割複信（Frequency Division Duplex、FDD）では、当該インデックスは、PRACH時間領域におけるスターティングサブフレーム番号に直接に対応する）、または時間領域配置のバージョン番号（時分割複信（Time Division Duplex、TDD）では、当該インデックスは、時間領域におけるいくつかの異なるマッピング方式のバージョン番号を示す）を示す。
【０００９】
LTE FDDシステムでは、周波数領域に多くとも１本のPRACHが配置され、無線フレームには多くとも１０本のPRACHが含まれ、PRACHは、時間領域で全て分離される。周波数領域に位置する全てのPRACHは、同じであって、基地局により統一的に配置される。LTE TDDシステムでは、各無線フレーム内に多くとも６本のPRACHが含まれ、PRACHは、先に時間領域でマッピングされ、後に周波数領域でマッピングされる。時間領域でPRACHは重複しないことを前提として、時間領域多重化を通じた配置PRACH密度の搬送にとって時間領域リソースが不十分である場合、多数のPRACHは周波数領域で多重化される。表１及び表２には、それぞれFDD及びTDDシステムの物理ランダムアクセス配置表が示されている。
【００１０】
【表１】
0005380552.tif 000002
【００１１】
【表２】
0005380552.tif 000003
【００１２】
配置インデックスが与えられ、PRACHを送信するためのサブフレームが既知である場合、端末は、物理ランダムアクセスチャネルマスクインデックス（PRACH Mask Index）を使用して当該配置インデックス上の１つの無線フレーム内の利用可能なPRACHリソースを指摘する。
【００１３】
競争に基づくランダムアクセスの場合、端末は、自動的にマスクインデックスを０に設定する。これは、現在のセルにより配置されたPRACH配置インデックス上のすべてのランダムアクセスリソースを端末が選択可能であることを意味する。
【００１４】
非競争に基づくランダムアクセスの場合、基地局は、マスクインデックスを指定する。
【００１５】
表３及び表５には、FDDとTDDシステムにおけるPRACHリソースを示すマスクインデックスの一例が示されている。表内のPRACH インデックスは、１つの無線フレーム内のランダムアクセスリソース上の最初のサブフレームの相対シーケンス番号を表している。
【００１６】
FDDでは、PRACHインデックスは、サブフレーム番号の順番に応じて決められるが、TDDでは、PRACHインデックスは、先に時間領域で決定され、後に周波数領域で決定される。
【００１７】
【表３】
0005380552.tif 000004
【００１８】
TDDでは、１つの無線フレーム内にアップリンクサブフレームとダウンリンクサブフレームが同時に存在し、一方で、PRACHリソースはアップリンクサブフレームのみに存在する。従って、その無線フレームのアップ・ダウンリンク配置（UL/DL configurations）を考慮しなければならない。
【００１９】
表４に示すように、端末は、システムメッセージまたはハンドオーバーシグナルにより無線フレームのアップ・ダウンリンク配置を得ることができる。さらに、そのPRACHリソース（その周波数領域の分布について図２を参照）は、１つのクワッド（ｆＲＡ、ｔ０ＲＡ、ｔ１ＲＡ、ｔ２ＲＡ）で識別される。
【００２０】
ここで、ｆＲＡは、周波数領域の位置を示し、その数値範囲が[０、１、２、３、４、５]とされる。ｔ０ＲＡは時間領域の分布が奇数サブフレーム内であるか（ｔ０ＲＡ＝２）、偶数サブフレーム内であるか（ｔ０ＲＡ＝１）、または奇偶数サブフレーム内であるか（ｔ０ＲＡ＝０）を示す。ｔ１ＲＡは、1つのフレームのPRACHの時間領域位置が前半フレーム内にあるか（ｔ１ＲＡ＝０）、後半フレーム内にあるか（ｔ１ＲＡ＝１）を示す。ｔ２ＲＡは、最初のアップリンクサブフレームの半フレームにおけるサブフレーム位置のオフセット位置を示し、その数値は、アップ・ダウンリンク配置と関係がある。また、（ｔ２ＲＡ＝*）であると、PRACHがアップリンクパイロット時間スロット（UpPTS）内に位置することを示す。
【００２１】
【表４】
0005380552.tif 000005
【００２２】
【表５】
0005380552.tif 000006
【００２３】
ネットワークがマスクインデックスを指定する状況については、主に２つの状況がある。一つはハンドオーバー過程であって、端末がハンドオーバー命令を受信した後、ターゲットセルでランダムアクセスを開始する時間が、例えば、RRC層の処理遅延等（物理層では他の制限はない）の様々な要素によって決められる。
【００２４】
もう一つは、ネットワーク側にダウンリンクデータが到着され、ネットワークが端末がアップリンク同期の状態にないと認めた場合、端末は、物理ダウンリンク制御チャネル（Physical Downlink Control Channel、 PDCCH）シグナルによりランダムアクセス過程を開始することをトリガする。端末がPDCCHシグナルを受信した上でランダムアクセスを開始することに対しては遅延要求がある。PRACHリソースの選択は、メディアアクセス制御（Media Access Control、MAC）層によって決められるので、PRACHリソースの選択時に、MAC層が要求される遅延を考慮しないと、物理層で物理ランダムアクセスプリアンブルを送信することができない。
【発明の概要】
【発明が解決しようとする課題】
【００２５】
本発明が解決しようとする技術課題は、ランダムアクセスの成功を保証するランダムアクセスリソースの選択方法及び端末を提供することにある。
【課題を解決するための手段】
【００２６】
本発明に係るランダムアクセスリソースの選択方法は、
端末が、システムから送られる物理ダウンリンク制御チャネルシグナルを受信する。
前記端末が、前記物理ダウンリンク制御チャネルシグナルを受信したサブフレームの後続のサブフレームから、条件Ａに合い、かつ、ランダムアクセスリソースを含む最初のサブフレームを決定する。
前記条件Ａは、前記最初のサブフレームと前記物理ダウンリンク制御チャネルシグナルを受信したサブフレームとの時差が、前記端末の物理層によって規定された遅延であるｋ以上であることである。
前記端末が、前記最初のサブフレームからランダムアクセスリソースを含むサブフレームの選択を開始する。
【００２７】
さらに、前記物理ダウンリンク制御チャネルシグナルは、物理ランダムアクセスチャネルマスクインデックスと物理ランダムアクセスプリアンブルインデックスをキャリーする。
前記ランダムアクセスリソースを含むサブフレームは、物理ランダムアクセスチャネル配置インデックス、前記物理ランダムアクセスチャネルマスクインデックス及び前記物理ランダムアクセスプリアンブルインデックスによって決められる。
前記物理ランダムアクセスチャネル配置インデックスインデックスは、前記端末によりシステムメッセージまたはハンドオーバーシグナルから取得される。
ランダムアクセスリソースを含むサブフレームを選択する範囲は、前記最初のサブフレームである。
【００２８】
さらに、前記物理ダウンリンク制御チャネルシグナルは、物理ランダムアクセスチャネルマスクインデックスと物理ランダムアクセスプリアンブルインデックスをキャリーする。
前記ランダムアクセスリソースを含むサブフレームは、物理ランダムアクセスチャネル配置インデックス、前記物理ランダムアクセスチャネルマスクインデックス、前記物理ランダムアクセスプリアンブルインデックス及びアップ・ダウンリンク配置インデックスによって決められる。
物理ランダムアクセスチャネル配置インデックスとアップ・ダウンリンク配置インデックスは、前記端末によりシステムメッセージまたはハンドオーバーシグナルから取得される。
【００２９】
さらに、前記物理ランダムアクセスチャネルマスクインデックスが０に等しくない場合、前記端末がランダムアクセスリソースを含むサブフレームを選択する時間範囲は、前記最初のサブフレームである。
前記物理ランダムアクセスチャネルマスクインデックスが０に等しい場合、前記端末がランダムアクセスリソースを含むサブフレームを選択する時間範囲は、前記最初のサブフレーム及び当該サブフレームの後の連続の２つのサブフレームである。
【００３０】
さらに、前記条件Ａに合うサブフレームは、無線フレームＮのサブフレームｎの後のサブフレームである。
前記Ｎは、以下の式（１）の条件を満たし、前記ｎは、以下の式（２）の条件を満たす。
【００３１】
【数１】
0005380552.tif 000007
ｎ＝（ｍ＋ｋ）％１０      （２）
前記Ｍは、前記物理ダウンリンク制御チャネルシグナルを受信した無線フレームである。前記ｍは、前記物理ダウンリンク制御チャネルシグナルを受信したサブフレームである。
【００３２】
さらに、前記ｋは、６ミリ秒に等しい。
【００３３】
本発明に係る端末は、受信モジュール、サブフレーム選択モジュール及びリソース選択モジュールを備え、ランダムアクセスリソースを選択する。
前記受信モジュールは、システムから送られる物理ダウンリンク制御チャネルシグナルを受信する。
前記サブフレーム選択モジュールは、前記物理ダウンリンク制御チャネルシグナルを受信したサブフレームの後続のサブフレームから、条件Ａに合い、かつ、ランダムアクセスリソースを含む最初のサブフレームを決定する。
前記条件Ａは、前記最初のサブフレームと前記物理ダウンリンク制御チャネルシグナルを受信したサブフレームとの時差が、前記端末の物理層によって規定された遅延であるｋ以上であることである。
前記リソース選択モジュールは、前記最初のサブフレームからランダムアクセスリソースを含むサブフレームの選択を開始する。
【００３４】
さらに、前記物理ダウンリンク制御チャネルシグナルは、物理ランダムアクセスチャネルマスクインデックスと物理ランダムアクセスプリアンブルインデックスをキャリーする。
前記受信モジュールは、物理ランダムアクセスチャネル配置インデックスをキャリーするシステムメッセージまたはハンドオーバーシグナルを受信する。
【００３５】
さらに、前記端末が記憶モジュールと分析モジュールとをさらに備える。
前記記憶モジュールは、物理ランダムアクセスチャネル配置表と物理ランダムアクセスチャネルマスクインデックス表を記憶する。
前記分析モジュールは、前記物理ダウンリンク制御チャネルシグナル、前記システムメッセージまたはハンドオーバーシグナルと、前記記憶モジュールとに応じて、ランダムアクセスリソースを含むサブフレームを決定する。
【００３６】
さらに、前記最初のサブフレームが前記ランダムアクセスリソースを含むサブフレームから選択される。
前記リソース選択モジュールがランダムアクセスリソースを含むサブフレームを選択する範囲は、前記最初のサブフレームである。
【００３７】
さらに、前記物理ダウンリンク制御チャネルシグナルは、物理ランダムアクセスプリアンブルインデックスと物理ランダムアクセスチャネルマスクインデックスをキャリーする。
前記受信モジュールは、物理ランダムアクセスチャネル配置インデックスとアップ・ダウンリンク配置インデックスをキャリーするシステムメッセージまたはハンドオーバーシグナルを受信する。
【００３８】
さらに、前記端末が記憶モジュールと分析モジュールとを備える。
前記記憶モジュールは、物理ランダムアクセスチャネル配置表、物理ランダムアクセスチャネルマスクインデックス表及びアップ・ダウンリンク配置表を記憶する。
前記分析モジュールは、前記物理ダウンリンク制御チャネルシグナル、前記システムメッセージまたはハンドオーバーシグナルと、前記記憶モジュールとに応じて、ランダムアクセスリソースを含むサブフレームを決定する。
【００３９】
さらに、前記最初のサブフレームが前記ランダムアクセスリソースを含むサブフレームから選択される。
前記物理ランダムアクセスチャネルマスクインデックスが０に等しくない場合、前記リソース選択モジュールがランダムアクセスリソースを含むサブフレームを選択する時間範囲は、前記最初のサブフレームである。
前記物理ランダムアクセスチャネルマスクインデックスが０に等しい場合、前記リソース選択モジュールがランダムアクセスリソースを含むサブフレームを選択する時間範囲は、前記最初のサブフレーム及び当該サブフレームの後の連続の２つのサブフレームである。
【発明の効果】
【００４０】
従来技術に比べ、本発明に係るランダムアクセスリソースを選択する方法及び端末は、ランダムアクセスリソースの選択において、物理ランダムアクセスチャネル配置インデックス及び物理ランダムアクセスチャネルマスクインデックスの制限と、上記物理層の遅延制限とが考慮される。そして、物理層の遅延の衝突を避けるために、MAC層が、ランダムアクセスリソースが決定されるより前に判断を下す。これにより、本発明は、ランダムアクセスの成功を保証することができる。
【図面の簡単な説明】
【００４１】
【図１】図１は、従来技術におけるセルラー無線通信システムの構造図である。
【図２】図２は、TDD-PRACHsの周波数領域リソースの分布を示す図である。
【図３】図３は、本発明に係るランダムアクセスリソースの選択方法のフローチャートである。
【図４】図４は、第１実施形態におけるプリアンブルを送信するサブフレームの構造図である。
【図５】図５は、第２実施形態におけるプリアンブルを送信するサブフレームの構造図である。
【図６】図６は、第３実施形態におけるプリアンブルを送信するサブフレームの構造図である。
【発明を実施するための形態】
【００４２】
従来技術では、ネットワーク側がPDCCHシグナルによりランダムアクセスを開始する端末をトリガするとき、物理層は、PDCCHシグナルを受信した後の端末の処理遅延に対する要求がある。しかしながら、上層MAC層プロトコルにおいてランダムアクセスリソースを選択するとき、このような制限は考慮されていない。上層のランダムアクセスリソースを選択する過程は、以下のとおりである。
【００４３】
端末がある時点（無線フレームＭにおけるサブフレームＧ）に物理ランダムアクセスプリアンブルを送信したとすると、端末は、そのサブフレームの後のPRACHを含む利用可能なサブフレーム（PRACHリソースの最初の無線サブフレーム）を選択する。その後、端末は、当該PRACHリソース上で物理ランダムアクセスプリアンブルを送信する。
【００４４】
上述のように、１つの無線フレーム内の利用可能なPRACHリソースは、物理ランダムアクセスチャネル配置インデックス（PRACH configuration index）と物理ランダムアクセスチャネルマスクインデックス（PRACH Mask Index）によって与えられた制限に従うべきである。
【００４５】
TDDシステムでは、物理ランダムアクセスチャネルマスクインデックスが０である場合、上記の方法によって最初のサブフレームが指定された後、端末は、有限の数のサブフレーム時間内に、均等な確率で周波数領域を再選択する。これは、物理ランダムアクセスチャネルマスクインデックスが０である場合、１つのサブフレームの時間範囲内で周波数領域における複数のサブフレームが存在するからである。
【００４６】
送信された物理ランダムアクセスプリアンブルがネットワークによって決められ、かつ、物理ランダムアクセスチャネルマスクインデックスが０に等しくないとすると、端末は、単に最初のサブフレームの時間範囲で選択を行なう。また、物理ランダムアクセスプリアンブルが端末自身によって決められたとすると、端末は、与えられたサブフレーム及び当該サブフレームの後の連続の２つのサブフレーム内で選択を行なう。
【００４７】
物理ランダムアクセスプリアンブルの送信時間についての物理層及び上層の説明から分かるように、物理ランダムアクセスプリアンブルがネットワークにより配置されたとき、MAC層は、選択過程で、単に、物理ランダムアクセスチャネル配置インデックス及び物理ランダムアクセスチャネルマスクインデックスの制限を考慮するだけであり、上記の物理層の遅延制限を考慮していなかった。
【００４８】
ダウンリンクデータが到着する場合について、端末がPDCCHシグナルを受信した後、MAC層が選択したPRACHを含むサブフレームが、PDCCHシグナルを受信したサブフレームの物理層によって規定された遅延（例えば、６ミリ秒）以内であるとき、物理層は、ダウンリンクデータを送信することができず、結果として、ランダムアクセスの送信が失敗する。
【００４９】
本発明に係るランダムアクセスリソースの選択方法及び端末の主旨は、ランダムアクセスリソースを選択するとき、同時に端末の物理層の規定された遅延を考慮して、ランダムアクセスの送信成功を保証することにある。
【００５０】
図３に示すように、本発明に係るランダムアクセスリソースの選択方法は、以下のステップを含む。
【００５１】
ステップ３０１において、端末は、システムから送られる物理ダウンリンク制御チャネルシグナルを受信する。
【００５２】
前記物理ダウンリンク制御チャネルシグナルは、物理ランダムアクセスチャネルマスクインデックスと物理ランダムアクセスプリアンブルインデックスをキャリーする。
【００５３】
ステップ３０２において、前記端末は、前記物理ダウンリンク制御チャネルシグナルを受信したサブフレームの後続のサブフレームから、条件Ａに合い、かつ、ランダムアクセスリソースを含める最初のサブフレームを決定する。
【００５４】
前記条件Ａは、前記最初のサブフレームと前記物理ダウンリンク制御チャネルシグナルを受信したサブフレームとの時差がｋ以上であることである。このｋは、前記端末の物理層によって規定された遅延であり、ｋは、LTEシステムのために、６ミリ秒以上とされる。また、各無線フレームは、１０個のサブフレームを含む。
【００５５】
端末がある時点（例えば、無線フレームＭ、サブフレームｍ）でダウンリンクシグナルを受信し、端末がランダムアクセス過程を開始することを要求された場合、当該条件は、以下のような公式を採用して決定することができる。Ｎは、フレーム番号であり、ｎは、サブフレーム番号である。
【００５６】
【数２】
0005380552.tif 000008
ｎ＝（ｍ＋ｋ）％１０
【００５７】
ここで、L字形状の記号（左下限）と、そのL字形状の記号と対をなす逆L字形状の記号（右下限）は、端数を切り捨てることを示し、％は、余りを求めることを示し、ｋは、物理層によって規定された遅延、即ち、端末が選択した最初のPRACHリソースを含むサブフレームと端末がダウンリンクシグナルを受信したサブフレームとの時差がｋのサブフレームであることを示す。
【００５８】
上記の公式によれば、条件Ａに合うサブフレームは、無線フレームＮのサブフレームｎの後のサブフレームである。
【００５９】
物理ランダムアクセスプリアンブルを送信するサブフレームは、利用可能なPRACHリソースを含むサブフレームであるべきであり、FDDシステムでは、このようなサブフレームは、現在のセルにより配置された物理ランダムアクセスチャネル配置インデックス（PRACH configuration index）、物理ランダムアクセスチャネルマスクインデックス（PRACH Mask Index）及び物理ランダムアクセスプリアンブルインデックスにより規定される。
【００６０】
前記物理ランダムアクセスチャネル配置インデックスは、前記端末がシステムメッセージまたはハンドオーバーシグナルから取得される。
【００６１】
TDDシステムでは、このようなサブフレームは、現在のセルにより配置された物理ランダムアクセスチャネル配置インデックス（PRACH configuration index）、物理ランダムアクセスチャネルマスクインデックス（PRACH Mask Index）、物理ランダムアクセスプリアンブルインデックス及びアップ・ダウンリンク配置インデックスにより規定される。
【００６２】
前記物理ランダムアクセスチャネル配置インデックス及び前記アップ・ダウンリンク配置インデックスは、前記端末によりシステムメッセージまたはハンドオーバーシグナルから取得される。
【００６３】
ステップ３０３において、前記端末は、前記最初のサブフレームから、時間領域内及び周波数領域内でランダムアクセスリソースを含むサブフレームを均等に選択し始める。
【００６４】
TDDシステムでは、物理ランダムアクセスチャネルマスクインデックスが０に等しくない場合、端末は、前記最初のサブフレームの時間範囲のみで選択を行なう。前記物理ランダムアクセスチャネルマスクインデックスが０に等しい場合、端末は、前記最初のサブフレーム及び当該サブフレームの後の連続の２つのサブフレームにおいて、条件Ａに合いかつランダムアクセスリソースを含む要求を考慮して、時間領域と周波数領域内で均等に選択を行なう。
【００６５】
FDDシステムでは、時間領域内及び周波数領域内でランダムアクセスリソースを含むサブフレームを均等に選択する範囲は、前記最初のサブフレームである。
【００６６】
以下、具体的な実施形態を参照しつつ、物理ランダムアクセスプリアンブルを送信するサブフレームを選択する過程について詳しく説明する。
【００６７】
「第１実施形態」
第１実施形態では、FDDシステムであり、PRACH配置インデックス＝１０であり、PRACHマスクインデックス＝０であり、プリアンブルインデックス！＝０であるとして説明する。
【００６８】
PDCCHシグナルは、無線フレームＭのサブフレームｍでランダムアクセス過程をトリガする。ここでｍ＝１である。物理ランダムアクセスチャネル配置インデックス（PRACH configuration index）が１０であり、PRACHマスクインデックス＝０である場合（表１と表３を参照）、サブフレーム２、５、８で物理ランダムアクセスプリアンブルを送信することができる。
【００６９】
下記の公式により条件Ａに合う最初のサブフレームが決められる。Ｎは、フレーム番号であり、ｎは、サブフレーム番号である。
【００７０】
【数３】
0005380552.tif 000009
ｎ＝（１＋６）％１０＝７
【００７１】
上記の式により分かるように、無線フレームＭのサブフレーム７及びサブフレーム７の後のサブフレームは、物理ランダムアクセスプリアンブルを送信することができる。
【００７２】
FDDシステムでは、物理ランダムアクセスプリアンブルは、すべての限定条件を満足する最初のサブフレーム、即ち、無線フレームＭのサブフレーム８によって送信されるべきである。最初のサブフレームの構造図は、図４に示すようなものである。
【００７３】
「第２実施形態」
第２実施形態では、FDDシステムであり、PRACH配置インデックス＝１４であり、PRACHマスクインデックス＝０であり、プリアンブルインデックス＝０であるとして説明する。
【００７４】
PDCCHシグナルは、無線フレームＭのサブフレームｍでランダムアクセス過程をトリガする。ここでｍ＝１である。物理ランダムアクセスチャネル配置インデックス（PRACH configuration index）が１４であり、PRACHマスクインデックスが０である場合、サブフレーム０〜９で物理ランダムアクセスプリアンブルを送信することができる。
【００７５】
下記の公式により条件Ａに合う最初のサブフレームが決められる。Ｎは、フレーム番号であり、ｎは、サブフレーム番号である。
【００７６】
【数４】
0005380552.tif 000010
ｎ＝（１＋６）％１０＝７
【００７７】
上記の式により分かるように、無線フレームＭのサブフレーム７及びサブフレーム７の後のサブフレームは、物理ランダムアクセスプリアンブルを送信することができる。
【００７８】
FDDシステムでは、物理ランダムアクセスプリアンブルは、すべての限定条件を満足する最初のサブフレーム、即ち、無線フレームＭのサブフレーム７によって送信されるべきである。最初のサブフレームの構造は、図５に示されている。
【００７９】
「第３実施形態」
第３実施形態では、TDDシステムであり、アップ・ダウンリンク配置＝３であり、PRACH配置インデックス＝１８であり、PRACHマスクインデックス＝０であり、プリアンブルインデックス＝０であるとして説明する。
【００８０】
PDCCHシグナルは、無線フレームＭのサブフレームｍでランダムアクセス過程をトリガする。ここで、ｍ＝７である。物理ランダムアクセスチャネル配置インデックス（PRACH configuration index）が１８であり、PRACHマスクインデックスが０であり、UL/DL 配置が３である場合（表２、表３、表４を参照）、周波数ｆ０及びｆ１にてサブフレーム２、３、４で物理ランダムアクセスプリアンブルを送信することができる。
【００８１】
下記の公式により条件Ａに合う最初サブフレームが決められる。Ｎは、フレーム番号であり、ｎは、サブフレーム番号である。
【００８２】
【数５】
0005380552.tif 000011
ｎ＝（７＋６）％１０＝３
【００８３】
上式により分かるように、無線フレームＭ＋１のサブフレーム３及びサブフレーム３の後のサブフレームは、物理ランダムアクセスプリアンブルを送信することができる。
【００８４】
従って、選択された最初のサブフレームは、無線フレームＭ＋１のサブフレーム３である。サブフレーム３、４及び５の周波数領域には、PRACHを含むサブフレームが４つ存在し、UL/DL 配置＝３により分かるように、サブフレーム５がPRACHを含まないので、端末は、サブフレーム３、４におけるPRACHを含む４つのサブフレームのいずれかの１つをランダムに選択することができ、例えば、サブフレーム４における周波数がｆ０であるサブフレームを選択する。このように、端末は、無線フレームＭ＋１のサブフレーム４のｆ０におけるPRACHで物理ランダムアクセスプリアンブルを送信することができる。サブフレームの構造図は、図６に示すようなものである。
【００８５】
上記の方法を実現するために、本発明に係る端末は、ランダムアクセスリソースを選択する端末であり、受信モジュール、記憶モジュール、分析モジュール、サブフレーム選択モジュール及びリソース選択モジュールを備える。
【００８６】
前記受信モジュールは、システムから送られる物理ダウンリンク制御チャネルシグナルと、システムメッセージまたはハンドオーバーシグナルとを受信する。
【００８７】
前記物理ダウンリンク制御チャネルシグナルは、物理ランダムアクセスチャネルマスクインデックス及び物理ランダムアクセスプリアンブルインデックスをキャリーする。
【００８８】
FDDシステムでは、前記システムメッセージまたはハンドオーバーシグナルは、物理ランダムアクセスチャネル配置インデックスをキャリーする。
【００８９】
TDDシステムでは、前記システムメッセージまたはハンドオーバーシグナルは、物理ランダムアクセスチャネル配置インデックスとアップ・ダウンリンク配置インデックスをキャリーする。
【００９０】
前記記憶モジュールは、物理ランダムアクセスチャネル配置表、物理ランダムアクセスチャネルマスクインデックス表及びアップ・ダウンリンク配置表を記憶する。
【００９１】
前記分析モジュールは、前記物理ダウンリンク制御チャネルシグナル、前記システムメッセージまたはハンドオーバーシグナル及び前記記憶モジュールに応じて、ランダムアクセスリソースを含むサブフレームを決定する。FDDシステムでは、ランダムアクセスリソースを含むサブフレームは、現在のセルにより配置された物理ランダムアクセスチャネル配置インデックス（PRACH configuration index）、物理ランダムアクセスチャネルマスクインデックス（PRACH Mask Index）及物理ランダムアクセスプリアンブルインデックスにより規定される。
【００９２】
TDDシステムでは、ランダムアクセスリソースを含むサブフレームは、現在のセルにより配置された物理ランダムアクセスチャネル配置インデックス（PRACH configuration index）、物理ランダムアクセスチャネルマスクインデックス（PRACH Mask Index）、物理ランダムアクセスプリアンブルインデックス及びアップ・ダウンリンク配置インデックスにより規定される。
【００９３】
記憶モジュールを検索する前に、端末は、物理ランダムアクセスプリアンブルインデックスが０であるかを判断する必要がある。物理ランダムアクセスプリアンブルインデックスが０である場合、競争に基づくランダムアクセスの場合であることが示され、物理ランダムアクセスチャネルマスクインデックスの初期値に関わらず、物理ランダムアクセスチャネルマスクインデックスを０に変更する。一方、物理ランダムアクセスプリアンブルインデックスが０でない場合、端末は、ダウンリンクシグナルにおける物理ランダムアクセスプリアンブルの初期値に応じて、物理ランダムアクセスチャネルマスクインデックス表を検索する。
【００９４】
前記サブフレーム選択モジュールは、前記物理ダウンリンク制御チャネルシグナルを受信した後続のサブフレームから、条件Ａに合い、かつ、ランダムアクセスリソースを含む最初のサブフレームを決定する。前記条件Ａは、前記最初のサブフレームと前記物理ダウンリンク制御チャネルシグナルを受信したサブフレームとの時差がｋ以上であることである。このｋは、前記端末の物理層によって規定された遅延であり、６ミリ秒以上とされる。
【００９５】
前記リソース選択モジュールは、前記最初のサブフレームから、時間領域内及び周波数領域内でランダムアクセスリソースを含むサブフレームを均等に選択し始める。
【００９６】
TDDシステムでは、物理ランダムアクセスチャネルマスクインデックスが０に等しくない場合、端末は、最初のサブフレームの時間範囲のみで選択を行なう。前記物理ランダムアクセスチャネルマスクインデックスが０に等しい場合、端末は、条件Ａに合い、かつ、ランダムアクセスリソースを含む要求を満足することを考慮して、前記最初のサブフレーム及び当該サブフレームの後の連続の２つのサブフレームで、時間領域内及び周波数領域内において均等に選択を行なう。
【００９７】
FDDシステムでは、前記リソース選択モジュールが時間領域内及び周波数領域内でランダムアクセスリソースを含むサブフレームを均等に選択する範囲は、前記最初のサブフレームである。
【００９８】
以上の端末の受信モジュール、記憶モジュール、検索モジュールの機能は、物理層において実現され、サブフレーム選択モジュール及びリソース選択モジュールの機能は、MAC層において実現される。
【００９９】
本発明に係るランダムアクセスリソースの選択方法及び端末は、ランダムアクセスリソースの選択において、物理ランダムアクセスチャネル配置インデックス及び物理ランダムアクセスチャネルマスクインデックスの制限と、上記の物理層の遅延制限との両方が考慮され、物理層での遅延における衝突を避けさけるために、ランダムアクセスリソースが決定される前にMAC層が判断を行なう。これにより、ランダムアクセスの成功を保証することができる。
【０１００】
上記のものは本発明の好適な実施形態に過ぎず、本発明はこれに限定されず、種々の変更形態および変形形態が当業者によって可能である。また、特許請求の範囲に規定される本発明の精神及び範囲に逸脱しない限り、あらゆる変更、均等な代替物、および改良が可能であることを理解されたい。
【０１０１】
従来技術に比べ、本発明に係るランダムアクセスリソースの選択方法及び端末は、ランダムアクセスリソースの選択において、物理ランダムアクセスチャネル配置インデックス及び物理ランダムアクセスチャネルマスクインデックスの制限と、上記物理層の遅延制限との両方が考慮され、物理層での遅延における衝突を避けさけるために、ランダムアクセスリソースが決定される前にMAC層が判断を行なう。これにより、ランダムアクセスの成功を保証することができる。
【図１】
0005380552.tif 000014
【図２】
0005380552.tif 000015
【図３】
0005380552.tif 000016
【図４】
0005380552.tif 000017
【図５】
0005380552.tif 000018
【図６】
0005380552.tif 000019